(57)【要約】【課題】  ネットワークにどのようなデバイスが接続されているか分からないような環境下で、そのネットワークに接続されているデバイスに対してリソースデータのダウンロードを行なうことができなかった。【解決手段】  リソースデータ及び当該リソースデータのダウンロード先を指定するデバイス情報を含むダウンロードファイルを、当該デバイスが接続されているネットワークのＰＣに送信すると、そのＰＣは、そのダウンロードファイルに基づいて、そのＰＣが接続されているネットワークのデバイスの内、デバイス情報に一致するデバイスを特定し（Ｓ３０４）、その特定したデバイスに対応するリソースデータを転送する（Ｓ３０７）。【選択図】  図３
2005267106.tif 000002
【特許請求の範囲】
【請求項１】
ネットワークに接続されているデバイスに対してリソースデータをダウンロードするリソース管理方法であって、
リソースデータ及び当該リソースデータのダウンロード先を指定するデバイス情報を含むダウンロードファイルを、当該デバイスが接続されているネットワークのコンピュータに送信する工程と、
前記ダウンロードファイルに基づいて、前記コンピュータが接続されている前記ネットワークのデバイスの内、前記デバイス情報に一致するデバイスを特定する特定工程と、
前記特定工程で特定されたデバイスに対応するリソースデータを転送する転送工程と、
前記特定工程で特定されたデバイスに対応すべく前記リソースデータを変換する変換工程とを有し、
前記転送工程では、前記変換工程で変換されたリソースデータを対応するデバイスに転送することを特徴とするリソース管理方法。
【請求項２】
前記ＰＣは、当該ＰＣが接続されている前記ネットワークのデバイスの一覧情報を有し、前記ダウンロードファイルのデバイス情報と前記一覧情報とを比較してデバイスを特定することを特徴とする請求項１に記載のリソース管理方法。
【請求項３】
前記ダウンロードファイルは、リソースデータの種別、サイズに関する情報を含むことを特徴とする請求項１又は２に記載のリソース管理方法。
【請求項４】
前記ダウンロードファイルは、更に、デバイスに対応して、対応するリソースデータのフォーマット変換に関する情報を含むことを特徴とする請求項１に記載のリソース管理方法。
【請求項５】
前記ダウンロードファイルは更に、ダウンロードを実行するための日時情報を含むことを特徴とする請求項１乃至４のいずれか１項に記載のリソース管理方法。
【請求項６】
前記ダウンロードファイルは、更に、ダウンロード対象のデバイスのモデル名、対応リソース、対応ＰＤＬに関する情報の少なくともいずれかを含むことを特徴とする請求項１乃至５のいずれか１項に記載のリソース管理方法。
【請求項７】
ネットワークに接続されているデバイスに対してリソースデータをダウンロードするリソース管理装置であって、
リソースデータ及び当該リソースデータのダウンロード先を指定するデバイス情報を含むダウンロードファイルを受信する受信手段と、
前記受信手段により受信した前記ダウンロードファイルに基づいて、ネットワークを介して接続されているデバイスの内、前記デバイス情報に一致するデバイスを特定する特定手段と、
前記特定手段で特定されたデバイスに対応するリソースデータを転送する転送手段と、  前記特定手段で特定されたデバイスに対応すべく前記リソースデータを変換する変換手段とを有し、
前記転送手段は、前記変換手段により変換されたリソースデータを、対応するデバイスに転送することを特徴とするリソース管理装置。
【請求項８】
前記ネットワークに接続されているデバイスの一覧情報を更に有し、前記特定手段は、前記ダウンロードファイルのデバイス情報と前記一覧情報とを比較してデバイスを特定することを特徴とする請求項７に記載のリソース管理装置。
【請求項９】
前記ダウンロードファイルは、リソースデータの種別、サイズに関する情報を含むことを特徴とする請求項７又は８に記載のリソース管理装置。
【請求項１０】
前記ダウンロードファイルは、更に、デバイスに対応して、対応するリソースデータのフォーマット変換に関する情報を含むことを特徴とする請求項７に記載のリソース管理装置。
【請求項１１】
前記ダウンロードファイルは更に、ダウンロードを実行するための日時情報を含むことを特徴とする請求項７乃至１０のいずれか１項に記載のリソース管理装置。
【請求項１２】
前記ダウンロードファイルは、更に、ダウンロード対象のデバイスのモデル名、対応リソース、対応ＰＤＬに関する情報の少なくともいずれかを含むことを特徴とする請求項７乃至１１のいずれか１項に記載のリソース管理装置。
【請求項１３】
ネットワークに接続されているデバイスに対してリソースデータをダウンロードするリソース管理システムであって、
ダウンロード対象のリソースデータを含むダウンロードファイルを記憶する記憶手段と、
前記ダウンロードファイルをダウンロード対象のデバイスが接続されているネットワークのＰＣに送信する手段と、
前記ダウンロードファイルに含まれる、リソースデータ及び当該リソースデータのダウンロード先を指定するデバイス情報に基づいて、前記ＰＣが接続されている前記ネットワークのデバイスの内、前記デバイス情報に一致するデバイスを特定する特定手段と、
前記特定手段により特定されたデバイスに対して前記ＰＣから対応するリソースデータを転送する転送手段と、
前記特定手段で特定されたデバイスに対応すべく前記リソースデータを変換する変換手段と、
を有することを特徴とするリソース管理システム。
【発明の詳細な説明】
【技術分野】
【０００１】
本発明は、ネットワークに接続されたデバイスに対してリソースデータをダウンロードするリソースデータ管理装置及びその方法に関するものである。
【背景技術】
【０００２】
従来のネットワークを介した管理用ＰＣからデバイスへのリソースデータのダウンロードにおいては、ダウンロード対象のデバイスを特定するための情報として、接続状況を確認し、接続状態にあるデバイスの中からダウンロード対象のデバイスを抽出してリソースのダウンロードを行うなどの操作を行っていた（特許文献１）。
【０００３】
また、サーバがプリンタからデバイス情報を取得して、その取得したデバイス情報に基づいて必要なファームウェアをサーバからプリンタに転送する印刷システムが考案されていた（特許文献２）。
【特許文献１】特開２００３−１０８３３２号公報
【特許文献２】特開２００２−１３２３６８号公報
【発明の開示】
【発明が解決しようとする課題】
【０００４】
しかしながら上記従来例では、以下のような問題点があった。
【０００５】
ダウンロードすべきデバイスを特定するためには、管理者が各デバイスのＩＰアドレスを予め分かっていなければならない、或は、ネットワーク上でデバイスと双方向通信が可能な範囲にデバイスがなければならない等の制限がある。このため、例えばインターネットを介した遠隔地にあるデバイスに対してリソースデータをダウンロードしたり、ネットワークにどのようなデバイスが接続されているか分からないような環境下で、そのネットワークに接続されているデバイスに対してリソースデータのダウンロードを行なうことができなかった。
【０００６】
本発明は上記問題点に鑑みてなされたもので、リソースデータのダウンロードを指定するダウンロードファイルを、デバイスが接続されているネットワークのＰＣに送信して、リソースデータを対象デバイスにダウンロードさせるリソース管理装置及びその方法を提供することを目的とする。
【課題を解決するための手段】
【０００７】
本発明に係るリソース管理装置は以下のような構成を備える。即ち、
ネットワークに接続されているデバイスに対してリソースデータをダウンロードするリソース管理装置であって、
リソースデータ及び当該リソースデータのダウンロード先を指定するデバイス情報を含むダウンロードファイルを受信する受信手段と、
前記受信手段により受信した前記ダウンロードファイルに基づいて、ネットワークを介して接続されているデバイスの内、前記デバイス情報に一致するデバイスを特定する特定手段と、
前記特定手段で特定されたデバイスに対応するリソースデータを転送する転送手段と、  前記特定手段で特定されたデバイスに対応すべく前記リソースデータを変換する変換手段とを有し、前記転送手段は、前記変換手段により変換されたリソースデータを、対応するデバイスに転送することを特徴とする。
【０００８】
本発明に係るリソース管理方法は以下のような工程を備える。即ち、
ネットワークに接続されているデバイスに対してリソースデータをダウンロードするリソース管理方法であって、
リソースデータ及び当該リソースデータのダウンロード先を指定するデバイス情報を含むダウンロードファイルを、当該デバイスが接続されているネットワークのコンピュータに送信する工程と、
前記ダウンロードファイルに基づいて、前記コンピュータが接続されている前記ネットワークのデバイスの内、前記デバイス情報に一致するデバイスを特定する特定工程と、
前記特定工程で特定されたデバイスに対応するリソースデータを転送する転送工程と、
前記特定工程で特定されたデバイスに対応すべく前記リソースデータを変換する変換工程とを有し、前記転送工程では、前記変換工程で変換されたリソースデータを対応するデバイスに転送することを特徴とする。
【発明の効果】
【０００９】
本発明によれば、リソースデータのダウンロードを指定するダウンロードファイルを、デバイスが接続されているネットワークのＰＣに送信して、リソースデータを対象デバイスにダウンロードできるという効果がある。
【発明を実施するための最良の形態】
【００１０】
以下、添付図面を参照して本発明の好適な実施の形態を詳しく説明する。
【００１１】
図１は、本発明の実施の形態において、対象デバイスに対してリソースデータのダウンローダを行うネットワークシステムを説明する図である。
【００１２】
図において、１はネットワークであり、パーソナルコンピュータ（以下、ＰＣと略す）、プリンタや複合機などを相互に接続している。管理者用ＰＣ２は、ダウンロード標準ファイル３に格納されている、プリンタ５、複合機６などのデバイスへのリソースデータを、そのダウンロード対象のデバイスに対してダウンロードするように指示する。ダウンロード標準ファイル３は、ダウンロード用の標準フォーマットを採用したリソースデータ群を記憶している。拠点ＰＣ４は、ダウンロードすべきデバイス（図１の例では、プリンタ５、複合機６等）が配置されている拠点のネットワーク１に接続されているＰＣで、管理者用ＰＣ２から送信されてくるダウンロード標準ファイル（リソースデータ）を解釈し、そのリソースデータを、ダウンロード対象のデバイスに配布するための配布モジュールを備えている。
【００１３】
プリンタ５は、ここではモノクロ印刷が可能なプリンタで、このプリンタ５は、ハードディスク、フラッシュメモリ等の記憶装置を有し（不図示）、印刷に利用されるフォントデータやフォームデータをダウンロードし、そのダウンロードしたリソースデータに基づいた印刷を行うことが可能である。複合機６は、カラー印刷が可能なプリンタであり、このプリンタ６はハードディスク、フラッシュメモリ等の記憶装置を有し（不図示）、印刷に利用されるフォントデータやフォームデータ、カラープロファイル（印刷時の色合わせに利用されるカラーマッチングテーブル）をダウンロードし、そのダウンロードしたリソースデータに基づいた印刷を行うことができる。
【００１４】
尚、管理者ＰＣ２と拠点ＰＣ４は同一ネットワークに接続されていてもよく、またネットワーク１はイントラネットでもよく、或はインターネットを介して接続されていても良い。
【００１５】
図２は、本実施の形態に係るダウンロード標準ファイル３におけるリソースデータの構成を説明する図である。
【００１６】
リソース情報部には、ダウンロード用標準ファイルに含まれるリソースデータの実体に関する情報が含まれている。具体的には、このダウンロード用標準ファイルに含まれるリソース実体の数（リソース数）、リソースファイルの名称（リソース名）、リソースデータのサイズ（サイズ）、リソースデータの種別（リソース種別）などが含まれている。この例では、リソース名が「リソース１」であるリソースはフォントデータであり、その容量は２００Ｋバイトである。またリソース名が「リソース２」であるリソースはフォームデータであり、その容量は１．４Ｍバイトであることがわかる。
【００１７】
デバイス情報部には、ダウンロード可能なデバイスに関する情報が格納されている。具体的には、ダウンロード用標準ファイルのリソースデータをダウンロードする対象であるデバイス名（デバイスモデル名）とその数（デバイス数）、デバイスにダウンロード可能なリソースデータの種別（対応リソース）、転送プロトコルなどリソースデータの転送方法など（対応ＰＤＬ，データ転送方法）に関する情報を含む。
【００１８】
この例では、デバイス名が「デバイス１」の対応リソースはフォントデータであり、そのＰＤＬは「ＰＣＬ」で、そのリソースデータのデータ転送方法は「転送方法Ａ」である。またデバイス名が「デバイス２」であるデバイスの対応リソースはフォームデータであり、そのＰＤＬは「ＰＣＬ」で、そのリソースデータのデータ転送方法は「転送方法Ｂ」である。
【００１９】
またリソース変換情報部には、各デバイスに対応して、そのリソース種別、変換方法が格納されている。具体的には、デバイス名（デバイスモデル名）と、そのデバイスにフォーマット変換してダウンロード可能なリソースデータの種別（リソース種別）、その変換方法（変換方法）に関する情報を含む。
【００２０】
リソース実体部には、ダウンロード用標準ファイル３に含まれるリソースデータの実体（リソースデータ１〜３など）が格納されている。
【００２１】
以上の構成において、ダウンロード標準ファイル３に格納されている、ダウンロードすべきリソースデータを管理者ＰＣ２で特定すると、ダウンロード用標準フォーマットを含むダウンロード用標準ファイルが生成される。このダウンロード用標準ファイルが生成されるタイミングは、管理者ＰＣ２を操作することによる手動操作に基づいて生成されてもよく、或はダウンロードすべきリソースデータが更新されたタイミングで自動的に生成されてもよい。ここではそのタイミングや手法に関しては特に言及しない。
【００２２】
こうして管理者ＰＣ２で特定されたダウンロード用標準ファイルが拠点ＰＣ４に配信されると、その拠点ＰＣ４は、そのダウンロード用標準ファイルをダウンロードするデバイスを探して、そのデバイスにダウンロードする。
【００２３】
図３は、本実施の形態に係る拠点ＰＣ４の配信モジュールがダウンロード用標準ファイルを取得し、デバイスへダウンロードする処理を説明するフローチャートである。
【００２４】
まずステップＳ３０１で、拠点ＰＣ４のリソースデータの配信モジュール（このＰＣ４にインストールされている）が、拠点内のネットワークに対してブロードキャストパケットを送出し、応答のあったデバイスの中からダウンロード対象のデバイスを抽出する。こうして抽出したデバイス情報を基にデバイス一覧情報を作成する。
【００２５】
図４は、こうして作成されたデバイス一覧情報の一例を示す図である。
【００２６】
この図４では、デバイス名としてプリンタ１〜３（Printer1-3）、複合機１〜４（MFP1-4）、そのモデル名、ＩＰアドレス、ＰＤＬ及びそのリソースデータの格納先がそれぞれ指定されている。
【００２７】
このデバイス一覧情報は、ブロードキャストパケットにより自動的に生成してもよく、何らかのユーザインタフェース（ＵＩ）を用いて、拠点ＰＣ４の管理者の手によって意図的に追加されてもよい。
【００２８】
次にステップＳ３０２で、ダウンロード用標準ファイル３を、ネットワーク１を経由して取得する。ここでの取得方法は、同一ＬＡＮなど管理者ＰＣ２から配信モジュールの所在が分かる場合にはＰＵＳＨで渡すという方法もあり、また、インターネットを経由するような場合には、ＨＴＴＰプロトコルを使用して拠点ＰＣ４の配信モジュールがＰＵＬＬで取得するといったケースもある。また、この実現方法としては何らかのＵＩを用意し、ＵＩからダウンロード用標準ファイルを配信モジュールに送信する、単一アプリケーションの形態を取ることも可能である。
【００２９】
図５は、ＰＵＳＨによりダウンロード用標準ファイルを配信する例を説明する図、図６は、ＰＵＬＬによりダウンロード用標準ファイルを配信する例を説明する図である。
【００３０】
次にステップＳ３０３で、ダウンロード用標準ファイルのデバイス情報部のデバイス情報（デバイスモデル名、対応リソース、対応ＰＤＬ，データ転送方法）と、ステップＳ３０１で生成したデバイス一覧情報（図４）とを比較し、ダウンロードすべきリソースデータと、ダウンロードすべきデバイスとを選択する。次にステップＳ３０４で、ダウンロードすべき対象デバイスがあるかどうかを判定し、ダウンロード対象のデバイスが存在する場合はステップＳ３０５に進み、存在しない場合には処理を終了する。ステップＳ３０５では、そのデバイスにダウンロードすべきリソースデータが存在するか否かを判定し、ダウンロードすべきリソースデータが存在する場合はステップＳ３０６に進み、存在しない場合はステップＳ３０８に進む。
【００３１】
ステップＳ３０６では、ダウンロード用標準ファイルのリソース変換情報部の変換方法に関する情報を参照し、そのダウンロード対象のデバイスが解釈可能な形式に変換してステップＳ３０７に進む。ステップＳ３０７では、ダウンロード用標準ファイルのデバイス情報部のデータ転送方法に関する情報を参照し、その方法に則り、ステップＳ３０６で変換したリソースデータを、その対象デバイスに転送してダウンロード処理を実行する。次にステップＳ３０８で、ダウンロードすべきデバイスがまだ存在するか判断し、デバイスが存在する場合はステップＳ３０３に進み、上記の処理を繰り返す。またステップＳ３０８で、ダウンロードすべきデバイスが存在しない場合には、処理を終了する。
【００３２】
［実施の形態２］
次に本発明の実施の形態２について説明する。この実施の形態２では、前述の実施の形態１に比べて、より複雑なネットワーク環境における、分散ダウンロードに対応するための方法について説明する。
【００３３】
図７は、本発明の実施の形態２に係る大規模ネットワーク環境を示し、ここでは複数のネットワークと、大量のデバイスが接続されている場合の例を表す図である。
【００３４】
７０１は、デバイスにダウンロードするリソースデータを管理する管理者用ＰＣ７０２が接続されているネットワークで、このネットワーク７０１には、更にダウンロード用標準フォーマットのファイル７０４を作成・管理するサーバ７０３が接続されている。ここでダウンロード用標準ファイル７０４は、管理者ＰＣ７０２で何らかのＵＩを持つデバイス上のリソースデータを管理する管理用プログラムから、その管理者が意図した情報を反映したダウンロード用標準ファイルをサーバ７０３により生成したものとする。
【００３５】
ネットワーク７０５には、リソースデータ配信モジュールＡが配置されており、ダウンロード対象となるデバイスが１台も接続されていない。その場合のリソースデータ配信モジュールＡが参照するデバイス一覧情報の例を図８（Ａ）に示す。
【００３６】
図８（Ａ）では、デバイスに関する情報はなく、配信モジュールＢのＩＰアドレスのみが記述されている。よって、リソースデータ配信モジュールＡが配置されているネットワーク７０６の下にはリソースデータ配信モジュールＢが存在することが分かる。
【００３７】
この場合、リソースデータ配信モジュールＡは、ダウンロード用標準ファイルのリソースデータを解釈することなく、そのリソースデータをリソースデータ配信モジュールＢへ転送することで、下位のネットワーク状況やデバイス配置状況を意識することなくダウンロード処理を続行できる。
【００３８】
ネットワーク７０６には、リソースデータ配信モジュールＢとデバイス７０７（DevA）、デバイス７０８（DevB）、デバイス７０９（DevC）、デバイス７１０（DevD）が接続されている。
【００３９】
図８（Ｂ）は、このリソースデータ配信モジュールＢが参照するデバイス一覧情報の一例を示す図である。
【００４０】
図８（Ｂ）では、リソースデータ配信モジュールＢが配置されているネットワークの下にリソースデータ配信モジュールＣが存在することがわかる。リソースデータ配信モジュールＢは、ダウンロード用標準ファイルのデータを解釈して、デバイス７０７（DevA）〜デバイス７１０（DevD）に対してリソースデータをダウンロードするとともに、リソースデータ配信モジュールＣに対して、ダウンロード用標準ファイルを解釈する以前の状態のまま転送する。
【００４１】
図８（Ｃ）は、リソースデータ配信モジュールＣが参照するデバイス一覧情報の一例を示す図である。
【００４２】
図８（Ｃ）において、デバイス７１１（DevE）〜デバイス７１４（DevH）のそれぞれに対して、そのＩＰアドレス、ＰＤＬ、リソースの格納先が指定されている。
【００４３】
リソースデータ配信モジュールＣは、ダウンロード用標準ファイルの内容を解釈し、このデータを参照して、各リソースデータをそれぞれ対応するデバイスにダウンロードする。
【００４４】
以上の構成において、各配信モジュールは、自らが接続されているネットワークのデバイス、及びその下位のネットワークに接続されている配信モジュールに対して、前述の実施の形態１の拠点ＰＣ４の配信モジュールと同様の処理を実行させることにより、大規模なネットワーク環境であっても、各デバイスへリソースデータのダウンロードを行うことが可能となる。
【００４５】
［実施の形態３］
次に本発明の実施の形態３について説明する。この実施の形態３では、ダウンロード処理のスケジューリング処理を可能とするための方法に関するものである。尚、この実施の形態３に係るネットワーク構成は、前述の実施の形態１と同様とする。
【００４６】
図９は、本発明の実施の形態３に係る管理者ＰＣ２からダウンロードされるダウンロード用標準ファイルを説明する図である。
【００４７】
図に示すように、この図９は、前述の図２と比較すると明らかなように、ダウンロードのスケジュールに関するスケジュール情報部が追加されており、その他のデータ構成は同じである。
【００４８】
このスケジュール情報部は、リソースデータの配信モジュールが稼動しているＰＣ上の日付情報を取得し、このスケジュール情報と比較することにより、リソースデータを配信する日時を決定してダウンロードを実行する。これにより、夜間でのダウンロードや、休日のダウンロード処理など、ダウンロード処理に関するスケジュール管理を行うことが可能となる。
【００４９】
図１０は、本発明の実施の形態３に係る拠点ＰＣ４の配信モジュールがダウンロード用標準ファイルを取得し、デバイスへダウンロードする処理を説明するフローチャートで、前述の図３のフローチャートと共通する部分は同じ記号で示し、それらの説明を省略する。
【００５０】
図１０では、ステップＳ３０５で、ダウンロード対象のデバイスが存在し、かつ対象リソースデータが存在する場合にステップＳ３１０に進み、そのダウンロード用標準ファイルがスケジュール情報部を含んでいるかどうかを判定する。スケジュール情報を含んでいない場合はステップＳ３０６に進み、前述の図３のフローチャートと同様の処理を実行するが、スケジュール情報を含んでいる場合はステップＳ３１１に進み、その対象デバイスと、そのリソースデータに対応付けてスケジュール情報（ダウンロードする年月日及び時分秒の情報）を、その拠点ＰＣ４のメモリに記憶してステップＳ３０８に進む。
【００５１】
図１１は、この拠点ＰＣ４における日時情報の更新及び、それに伴うリソースデータのダウンロード処理を説明するフローチャートである。
【００５２】
この処理は例えば、ＰＣ４が内蔵しているタイマ等からの計時信号による割り込みなどにより起動され、まずステップＳ４０１で、拠点ＰＣ４が管理している日時情報を更新する。次にステップＳ４０２で、その更新した日時情報と一致するスケジュール情報が記憶されているか判定する。一致する日時情報が存在するときはステップＳ４０３に進み、前述の図１０のステップＳ３０６と同様にして、リソースデータを変換し、その変換したリソースデータを、対象デバイスにダウンロードする。尚、ステップＳ４０２で、その更新した日時情報と一致するスケジュール情報が存在しないときは、そのまま処理を終了する。
【００５３】
以上説明したように本実施の形態３によれば、リソースデータと、そのリソースデータをダウンロードしたいデバイスとを指定し、任意の時間に、そのデバイスにそのリソースデータをダウンロードすることができる。
【００５４】
以上説明したように本実施の形態によれば、ダウンロード用標準ファイルを用い、デバイスが存在する拠点ネットワークにリソースデータの配信モジュールを配置することで、管理者がダウンロードすべきデバイスを特定するためのＩＰアドレスが分からないような環境下においても、例えば、インターネットを介した遠隔のデバイスへのリソースデータのダウンロードや、ネットワークにどのようなデバイスが接続されているか分からないような環境下のデバイスに対しても、リソースデータのダウンロードを行なうことができる。
【００５５】
更に、リソースデータの配信モジュールを配置することにより、大規模ネットワークの環境においても、リソースデータを所望のデバイスへのダウンロードできる。
【００５６】
本発明の目的は前述したように、本実施の形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００５７】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００５８】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【図面の簡単な説明】
【００５９】
【図１】本発明の実施の形態において、対象デバイスに対してリソースデータのダウンローダを行うネットワークシステムを説明する図である。
【図２】本実施の形態に係るダウンロード標準ファイルにおけるリソースデータの構成を説明する図である。
【図３】本実施の形態に係る拠点ＰＣの配信モジュールがダウンロード用標準ファイルを取得し、デバイスへダウンロードする処理を説明するフローチャートである。
【図４】拠点ネットワークにおけるデバイス一覧情報の一例を示す図である。
【図５】ＰＵＳＨによりダウンロード用標準ファイルを配信する例を説明する図である。
【図６】ＰＵＬＬによりダウンロード用標準ファイルを配信する例を説明する図である。
【図７】本発明の実施の形態２に係る大規模ネットワーク環境を示す図である。
【図８】実施の形態２に係る各配信モジュールが保持するデバイス一覧情報の一例を示す図である。
【図９】本発明の実施の形態３に係る管理者ＰＣからダウンロードされるダウンロード用標準ファイルを説明する図である。
【図１０】実施の形態３に係る拠点ＰＣによる処理を説明するフローチャートである。
【図１１】実施の形態３に係る拠点ＰＣによる日時更新処理を説明するフローチャートである。
【図１】
2005267106.tif 000003
【図２】
2005267106.tif 000004
【図３】
2005267106.tif 000005
【図４】
2005267106.tif 000006
【図５】
2005267106.tif 000007
【図６】
2005267106.tif 000008
【図７】
2005267106.tif 000009
【図８】
2005267106.tif 000010
【図９】
2005267106.tif 000011
【図１０】
2005267106.tif 000012
【図１１】
2005267106.tif 000013